【手続補正書】
【提出日】平成17年10月17日(2005.10.17)
【手続補正１】
【補正対象書類名】特許請求の範囲
【補正対象項目名】全文
【補正方法】変更
【補正の内容】
【特許請求の範囲】
【請求項１】
ポリマー混合物を分離する方法であって：
ポリマー成分を含む混合物を提供する工程；
該ポリマー混合物の摩擦電気的荷電を選択的に媒介するための粒子状媒体を該混合物に添加する工程であって、該粒子状媒体は、静電気的荷電系列内の選択された位置を有するポリマー物質を含み、該粒子状媒体は機能的添加物を含む、工程；
該媒体を用いて該混合物を摩擦電気的に荷電する工程；
該摩擦電気的荷電に従い該ポリマー混合物の２つ以上の成分を分離する工程；および
回収プロセスを用いて該粒子状媒体の少なくとも１部を回収する工程、
を包含し、該機能的添加物が、該回収プロセスとの相容性について選択される、方法。
【請求項２】
請求項１に記載の方法であって：
前記回収プロセスが磁気的な回収プロセスであり；かつ
前記機能的添加物が強磁性物質である、方法。
【請求項３】
請求項１に記載の方法であって：
前記回収プロセスが色分別プロセスであり；かつ
前記機能的添加物が着色物質である、方法。
【請求項４】
請求項１に記載の方法であって：
前記回収プロセスが密度分離プロセスであり；かつ
前記機能的添加物が密度増大物質である、方法。
【請求項５】
請求項１に記載の方法であって：
前記回収プロセスが厚みまたは表面  対  質量の比に基づく分離プロセスであり；かつ
前記機能的添加物が発泡剤である、方法。
【請求項６】
請求項１に記載の方法であって：
前記回収プロセスが摩擦電気分離器における中性の中間画分の回収を含み；かつ
前記機能的添加物が導電性物質である、方法。
【請求項７】
前記回収工程が前記分離工程の前に実施される、請求項１〜６のいずれか１項に記載の方法。
【請求項８】
前記回収工程が前記分離工程の後に実施される、請求項１〜６のいずれか１項に記載の方法。
【請求項９】
請求項１に記載の方法であって：
前記機能的添加物が導電性物質であり；かつ
前記分離および回収工程が、前記荷電した混合物および媒体を電場に通して、２つ以上の成分および前記粒子状媒体が、該媒体が該２つ以上の成分から分離されるように異なる量で偏向するようにする工程を包含する、方法。
【請求項１０】
請求項９に記載の方法であって：
前記媒体を用いて前記混合物を摩擦電気的に荷電する前に、高電圧源により該媒体を電気的に荷電する工程、
をさらに包含する、方法。
【請求項１１】
請求項１０に記載の方法であって：
前記摩擦電気的荷電の後に前記荷電媒体を放電する工程；および
摩擦電気分離器における中性画分として該放電した媒体を回収する工程、
をさらに包含する、方法。
【請求項１２】
請求項１に記載の方法であって、前記混合物に粒子状媒体を添加する工程が、該混合物に相容化剤を含む荷電媒体を添加する工程を包含し、該相容化剤は、１つ以上のポリマー成分および１つ以上の非相容性ポリマーの標的ブレンドにおける界面エネルギーを、該ブレンド中の該ポリマー成分の一つと該非相容性ポリマーの一つとの間の界面で優先的に濃縮することにより、減少し得る、方法。
【請求項１３】
請求項１〜１２のいずれか１項に記載の方法であって：
ポリマー成分を含む混合物を提供する工程が、第１の誘電率を有する第１のポリマー成分および第２の誘電率を有する第２のポリマー成分を提供する工程を包含し；かつ
該混合物に粒子状媒体を添加する工程が、該第１の誘電率と該第２の誘電率との間の誘電率を有する荷電媒体を該混合物に添加する工程を包含する、方法。
【請求項１４】
請求項１〜１２のいずれか１項に記載の方法であって：
ポリマー成分を含む混合物を提供する工程が、第１のポリマー成分を提供する工程を包含し；かつ
該混合物に粒子状媒体を添加する工程が、該第１のポリマー成分中の官能基と選択的に反応し得る成分を含む荷電媒体を該混合物に添加する工程を包含する、方法。
【請求項１５】
請求項１〜１２のいずれか１項に記載の方法であって：
ポリマー成分を含む混合物を提供する工程が、第１のポリマー成分および第２のポリマー成分を提供する工程を包含し；かつ
該混合物に粒子状媒体を添加する工程が、該第１のポリマー成分の荷電特性と該第２のポリマー成分の荷電特性との間の荷電特性を有する荷電媒体を該混合物に添加する工程を包含する、方法。
【請求項１６】
請求項１〜１５のいずれか１項に記載の方法であって、前記粒子状媒体の少なくとも一部を回収する工程が、前記混合物中の他の成分の偏向と比較して、電場においてわずかに偏
向する媒体のみを回収する工程を包含し、ここで、該わずかな偏向が、該混合物中の成分と比較して低い平均荷電に起因する、方法。
【請求項１７】
ポリマー混合物を分離するためのシステムであって：
該ポリマー混合物の摩擦電気的荷電を選択的に媒介するための粒子状荷電媒体であって、該荷電媒体は、静電気的荷電系列内の選択された位置を有するポリマー物質を含む、媒体；
該ポリマー混合物および該荷電媒体を摩擦電気的に荷電するための荷電チャンバ；
該摩擦電気的荷電に基づき該ポリマー混合物の２つ以上の荷電ポリマー成分を分離するための分離チャンバ；および
媒体回収プロセスに基づき該荷電媒体の少なくとも１部を回収するための媒体回収デバイスであって、該荷電媒体は、該ポリマー混合物の荷電を選択的に媒介するのに適した１つ以上のポリマー物質を含み、該荷電媒体はさらに、該媒体回収プロセスと相容性の１つ以上の機能的添加物を含む、デバイス、
を含む、システム。
【請求項１８】
請求項１７に記載のシステムであって：
前記回収プロセスが磁気的な回収プロセスであり；かつ
前記機能的添加物が強磁性物質である、システム。
【請求項１９】
請求項１７に記載のシステムであって：
前記回収プロセスが色分別プロセスであり；かつ
前記機能的添加物が着色物質である、システム。
【請求項２０】
請求項１７に記載のシステムであって：
前記回収プロセスが密度分離プロセスであり；かつ
前記機能的添加物が密度増大物質である、システム。
【請求項２１】
請求項１７に記載のシステムであって：
前記回収プロセスが厚みまたは表面  対  質量の比に基づく分離プロセスであり；かつ
前記機能的添加物が発泡剤である、システム。
【請求項２２】
請求項１７に記載のシステムであって：
前記媒体回収デバイスが、前記分離チャンバを備える摩擦電気分離器を備え；
前記回収プロセスが、摩擦電気分離器における中性の中間画分の回収を含み；かつ
前記機能的添加物が導電性物質である、システム。
【請求項２３】
請求項１７に記載のシステムであって：
前記機能的添加物が導電性物質であり；
前記分離チャンバが、前記荷電した混合物および媒体を電場に曝して、２つ以上の成分および該荷電した媒体が、該媒体が該２つ以上の成分から分離されるように異なる量で偏向するよう構成されている、システム。
【請求項２４】
摩擦電気的分離によりポリマー混合物を分離するのに使用する媒体を調製する方法であって：
ポリマー混合物の摩擦電気的分離における荷電媒体において使用するための１つ以上のポリマー物質を選択する工程；
該摩擦電気的分離において使用される媒体回収プロセスに基づき１つ以上の機能的添加物を選択する工程；および
該摩擦電気的分離において使用するための粒子状媒体を生成するために、該選択された
ポリマー物質および該選択された機能的添加物を合わせる工程、
を包含する、方法。
【請求項２５】
請求項２４に記載の方法であって：
前記媒体回収プロセスが磁気的な回収プロセスであり；かつ
前記機能的添加物が強磁性物質である、方法。
【請求項２６】
請求項２４に記載の方法であって：
前記回収プロセスが色分別プロセスであり；かつ
前記機能的添加物が着色物質である、方法。
【請求項２７】
請求項２４に記載の方法であって：
前記媒体回収プロセスが密度分離プロセスであり；かつ
前記機能的添加物が密度増大物質である、方法。
【請求項２８】
請求項２４に記載の方法であって：
前記媒体回収プロセスが厚みまたは表面  対  質量の比に基づく分離プロセスであり；かつ
前記機能的添加物が発泡剤である、方法。
【請求項２９】
請求項２４に記載の方法であって：
前記媒体回収プロセスが摩擦電気分離器における中性の中間画分の回収を含み；かつ
前記機能的添加物が導電性物質である、方法。